(57)【特許請求の範囲】
【請求項１】
通信ネットワークに接続される通信端末およびサーバを備えるデータ通信システムにおいて、
前記通信端末は、
端末識別子を保持する保持手段、
前記通信ネットワークに接続する毎にネットワーク識別子を取得する取得手段、
前記保持手段によって保持された端末識別子と前記取得手段によって取得したネットワーク識別子とを前記サーバに通知する通知手段、および
前記保持手段によって保持された端末識別子とデータ信号とを前記サーバに送信する送信手段を備え、
前記サーバは、
前記通知手段によって通知された端末識別子に基づいて、所定条件を満足するか否かを判別する第１判別手段、
前記第１判別手段によって前記所定条件が満足したと判別されると前記通知手段によって通知された端末識別子に対応するネットワーク識別子を記憶する第１記憶手段、
前記送信手段によって送信された端末識別子およびデータ信号を受信する受信手段、
前記受信手段によって受信された端末識別子が前記第１記録手段によって記録された端末識別子と一致するか否かを判別する第２判別手段、
前記第２判別手段の判別結果が肯定的であるとき前記受信手段によって受信されたデータ信号を記憶する第２記憶手段、
前記第２判別手段の判別結果が否定的であるとき前記受信手段によって受信されたデータ信号を廃棄する廃棄手段、および
前記第２判別手段の判別結果が否定的であるとき前記通信端末と前記サーバ間のエラーを示すエラーログを記憶する第３記憶手段を備え、
前記所定条件は、前記通信端末において、前記通信ネットワークに接続する度に前記取得手段によって取得されるネットワーク識別子が異なる条件であることを特徴とする、データ通信システム。
【請求項２】
前記通信回線はインターネットであり、
前記ネットワーク識別子は前記インターネットへの接続時にインターネットサービスプロバイダから割り当てられるＩＰアドレスである、請求項１記載のデータ通信システム。
【請求項３】
前記通信端末は被写体を撮影する撮影手段をさらに備え、
前記データ信号は前記撮影手段によって撮影された画像データ信号である、請求項１または２記載のデータ通信システム。
【発明の詳細な説明】
【技術分野】
【０００１】
この発明は、データ通信システムに関し、特にたとえば、遠隔監視システムとして用いられ、通信回線に接続される通信端末およびサーバを備える、データ通信システムに関する。
【背景技術】
【０００３】
インターネットを利用した従来の遠隔監視システムでは、通信機能を備えるカメラ装置（撮像装置）から画像蓄積サーバに画像データを送信するとき、カメラ装置から画像蓄積サーバに接続する方法（１）か、画像蓄積サーバからカメラ装置に接続する方法（２）を採っている。方法（１）では、画像データの送信タイミングがカメラ装置によって決定されるため、画像蓄積サーバの負荷変動が大きくなる。これに対して、方法（２）では、画像データの送信タイミングを画像蓄積サーバによって決定できるので、画像蓄積サーバの負荷変動を抑制できる。
【発明の開示】
【発明が解決しようとする課題】
【０００４】
しかし、方法（２）では、画像蓄積サーバがカメラ装置のＩＰアドレスを把握しておく必要があるため、カメラ装置に割り当てられるＩＰアドレスは固定でなければならない。このため、カメラ装置がインターネットへの接続するときにＩＰアドレスを取得する方法であって、そのＩＰアドレスが取得する毎に異なる場合、方法（２）は採用できなかった。すなわち、ＤＨＣＰ（Dynamic Host Configuration Protocol）方式で予め確保された複数のＩＰアドレスのうち未使用状態にある任意のＩＰアドレスがクライアントに割り当てられる方式や、カメラ装置がＰＰＰ（Point to Point Protocol）でＩＳＰ（Internet Service Provider）に接続してＩＰＣＰ（Internet Protocol Control Protocol）によって付与されるＩＰアドレスが非固定であり接続のたびに異なる場合などである。これらの方式でカメラ装置がインターネットに接続される場合、画像蓄積サーバは当該カメラ装置のＩＰアドレスを把握できず、画像蓄積サーバからカメラ装置に接続する方法（２）は採用できなかった。
【０００５】
それゆえに、この発明の主たる目的は、アドレスが不定の通信端末（クライアント）との間で通信を行うときでも、サーバの負荷変動を抑制することができる、データ通信システムを提供することである。
【課題を解決するための手段】
【０００６】
この発明に従うデータ通信システムは、通信ネットワークに接続される通信端末およびサーバを備えるデータ通信システムであって、通信端末は、端末識別子を保持する保持手段、通信ネットワークに接続する毎にネットワーク識別子を取得する取得手段、保持手段によって保持された端末識別子と取得手段によって取得したネットワーク識別子とをサーバに通知する通知手段、および保持手段によって保持された端末識別子とデータ信号とをサーバに送信する送信手段を備え、サーバは、通知手段によって通知された端末識別子に基づいて、所定条件を満足するか否かを判別する第１判別手段、第１判別手段によって所定条件が満足したと判別されると通知手段によって通知された端末識別子に対応するネットワーク識別子を記憶する第１記憶手段、送信手段によって送信された端末識別子およびデータ信号を受信する受信手段、受信手段によって受信された端末識別子が第１記録手段によって記録された端末識別子と一致するか否かを判別する第２判別手段、第２判別手段の判別結果が肯定的であるとき受信手段によって受信されたデータ信号を記憶する第２記憶手段、第２判別手段の判別結果が否定的であるとき受信手段によって受信されたデータ信号を廃棄する廃棄手段、および第２判別手段の判別結果が否定的であるとき通信端末とサーバ間のエラーを示すエラーログを記憶する第３記憶手段を備え、所定条件は、通信端末において、通信ネットワークに接続する度に取得手段によって取得されるネットワーク識別子が異なる条件であることを特徴とする。
【００１１】
通信ネットワークに接続される通信端末およびサーバを備える。通信端末に関して、保持手段は端末識別子を保持し、取得手段は通信ネットワークに接続する毎にネットワーク識別子を取得する。保持手段によって保持された端末識別子と取得手段によって取得したネットワーク識別子は、通知手段によってサーバに通知される。また、保持手段によって保持された端末識別子とデータ信号は、送信手段によってサーバ送信される。サーバに関して、第１判別手段は、通知手段によって通知された端末識別子に基づいて、所定条件を満足するか否かを判別する。そして、第１判別手段によって所定条件が満足したと判別されると通知手段によって通知された端末識別子に対応するネットワーク識別子を第１記憶手段によって記憶される。また送信手段によって送信された端末識別子およびデータ信号は、受信手段によって受信される。第２判別手段は、受信手段によって受信された端末識別子が第１記録手段によって記憶された端末識別子と一致するか否かを判別する。受信手段によって受信されたデータ信号は、第２判別手段の判別結果が肯定的であるとき第２記憶手段によって記憶される一方、第２判別手段の判別結果が否定的であるとき廃棄手段によって廃棄される。さらに、第２判別手段の判別結果が否定的であるとき、第３記憶手段によって通信端末とサーバ間のエラーを示すエラーログを記憶する。なお、所定条件は、通信端末において、取得手段によって取得されるネットワーク識別子が、通信ネットワークに接続する度に異なる条件である。
【００１２】
好ましくは、通信回線はインターネットであり、ネットワーク識別子は通信端末がインターネットに接続したときにインターネットサービスプロバイダから割り当てられたＩＰアドレスである。
【発明の効果】
【００１３】
この発明によれば、サーバの負荷変動を抑制することができる。
【００１４】
この発明の上述の目的，その他の目的，特徴および利点は、図面を参照して行
う以下の実施例の詳細な説明から一層明らかとなろう。
【発明を実施するための最良の形態】
【００１５】
図１を参照して、この実施例の遠隔監視システム１００は、大量の画像を記憶するための大容量の記憶容量を有する画像蓄積サーバ１ａ〜１ｃを含む。画像蓄積サーバ１ａ〜１ｃはそれぞれ、ルータ２を介してインターネット網３と接続される。図１では画像蓄積サーバを複数接続しているが、必ずしも複数である必要はなく、ユーザ数やサービス内容に応じて適当な台数とすればよい。また、画像蓄積サーバは、複数箇所に分散して設置し、インターネット網３によって互いを接続する構成としてもよい。
【００１６】
カメラ装置４ａは、携帯電話５ａによって所定のダイヤル操作が行われたとき、移動体通信網６ａと通信事業者７ａが提供するインターネット接続サービスとを介してインターネット網３に接続される。カメラ装置５ｂは、モデム９がＩＳＰ８ａをダイヤルしたとき、一般公衆回線１０およびＩＳＰ８ａを介してインターネット網３に接続される。なお、一般公衆回線１０およびモデム９の代わりにＩＳＤＮ回線およびＴＡ（Terminal Adaptor）を用いてもよい。カメラ装置４ｃは、ルータ１１および構内ＬＡＮ専用線１３を介してインターネット網３と接続される。カメラ装置４ａ，４ｂまたは４ｃによって撮影された画像データは、こうして接続されたインターネット網３を介して画像蓄積サーバ１ａ，１ｂまたは１ｃに送信される。なお、カメラ装置４ａ〜４ｃは、ディジタルカメラとコンピュータとの組合せによって構成されるものであってもよい。なお、以下では、カメラ装置を単にカメラと呼ぶこともある。
【００１７】
端末装置１２は、ＩＳＰ８ｂおよびインターネット網３を介して、画像蓄積サーバ１ａ，１ｂまたは１ｃあるいはカメラ装置４ａ，４ｂまたは４ｃに接続される。ユーザは、画像蓄積サーバ１ａ，１ｂまたは１ｃあるいはカメラ装置４ａ，４ｂまたは４ｃに蓄積されたの画像の閲覧や検索、ならびに画像蓄積サーバ１ａ，１ｂまたは１ｃのサービス条件あるいはカメラ装置４ａ，４ｂまたは４ｃの撮影条件の変更を行うことができる。ユーザは、端末装置１２だけでなく、携帯電話５ｂによっても、同じ操作を行うことができる。このとき、携帯電話５ｂは、移動体通信網６ｂおよび通信事業者７ｂの提供するインターネット接続サービスを利用してインターネット網３に接続される。
【００１８】
画像蓄積サーバ１ａ〜１ｃの各々の構成を図２に示す。画像メモリ１０１は、撮像装置４ａ，４ｂまたは４ｃから送られる画像データを記憶する。ユーザデータテーブル１０２は、ユーザ毎の監視サービスの条件を記憶する。ＣＰＵ１０３は、ユーザデータテーブル１０２の設定に基づいて、ユーザに対して画像蓄積サービスを行う。ＣＰＵ１０３はまた、ユーザデータテーブル１０２の設定に基づいて、ユーザの端末装置１２または携帯電話５ｂに対する画像データの送出、カメラ装置４ａ〜４ｃに対応するプロトコルのサポート、ユーザの端末装置１２または携帯電話５ｂから入力されたユーザ毎のサービス条件に基づくユーザデータテーブル１０２の変更を行う。ＣＰＵ１０３はさらに、カメラ装置４ａ，４ｂまたは４ｃから通知されたＩＰアドレス情報に基づいて、ユーザデータテーブル１０２に記録されているＩＰアドレスを動的に変更する。なお、外部との通信は、Ｉ／Ｆ１０４を介して行われる。
【００１９】
図４を参照して、画像蓄積サーバ１ａ〜１ｃが有するユーザデータテーブル１０２は、ユーザのプロファイルテーブル１０２１，許可されたサービス内容テーブル１０２２，データ格納領域を特定するテーブル１０２３およびカメラ情報テーブル１０２４に区分される。プロファイルテーブル１０２１には識別コード，ユーザ名，契約年月日および更新日が登録される。また、カメラ情報テーブル１０２４には、同じユーザのカメラ装置毎に、カメラＩＤ１０２５、当該カメラ装置のＩＰアドレス１０２６、当該カメラ装置のＩＰアドレス取得方法１０２７、現時点の接続状態１０２８、当該カメラ装置との接続方法１０２９、記録レート１０３０などが登録される。
【００２０】
図４によれば、カメラ装置４ａのＩＰアドレス取得方法１０２７は“固定”とされ、接続方法１０２９は“カメラから”とされる。また、カメラ装置４ｂのＩＰアドレス取得方法１０２７は“非固定”とされ、接続方法１０２９は“サーバから”とされる。さらに、カメラ装置４ｃのＩＰアドレス取得方法１０２７は“固定”とされ、接続方法１０２９は“カメラから”とされる。以下では、画像蓄積サーバ１ａのユーザデータテーブル１０２が図４に示すように形成され、画像蓄積サーバ１ａとカメラ装置４ａ〜４ｂとの間で通信が行われるものとする。
【００２１】
カメラ装置４ａ〜４ｃはそれぞれ、図３に示すように構成される。被写体は、撮像素子４０１によって撮影される。撮影された画像データは、内部メモリ４０５に一時的に格納される。撮像素子４０１は、別体または分離可能な構成としてもよい。撮影条件テーブル４０２には、撮像素子４０１が被写体を撮影するときの条件（撮像条件）などが登録される。ＣＰＵ４０３は、撮像条件テーブル４０２に記録されている内容に従って、画像データを画像蓄積サーバ１ａ，１ｂまたは１ｃに送信する。なお、外部との通信は、Ｉ／Ｆ４０４を介して行われる。
【００２２】
図５（Ａ）〜図５（Ｃ）を参照して、カメラ装置４ａ〜４ｃが有する撮影条件テーブル４０２には、カメラＩＤ４０２１，画像蓄積サーバ１ａのＩＰアドレス４０２２、インターネット網３への接続方法４０２３、インターネット網３への接続情報４０２４、画像蓄積サーバ１ａとの接続条件４０２５、ＩＰアドレスの取得方法４０２６、画像蓄積サーバ１ａとの接続方向４０２７、画像データの送信レート４０２８、画像データの圧縮率４０２９、アラーム通知条件４０３０などが登録される。図５（Ａ）に示す撮影条件テーブル４０２はカメラ装置４ａに形成され、図５（Ｂ）に示す撮影条件テーブル４０２はカメラ装置４ｂに形成され、そして図５（Ｃ）に示す撮影条件テーブル４０２はカメラ装置４ｃに形成される。
【００２３】
カメラ装置４ａの撮影条件テーブル４０２には、接続方法４０２３として“ＰＰＰ接続”が登録され、接続情報４０２４として通信事業者７ａの電話番号が登録され、接続条件４０２５として“ダイヤルアップ接続”が登録され、ＩＰアドレス取得方法４０２６として“固定”が登録され、接続方法４０２７として“カメラから”が登録される。
【００２４】
カメラ装置４ｂの撮影条件テーブル４０２には、接続方法４０２３として“ＰＰＰ接続”が登録され、接続情報４０２４としてＩＳＰ８ａの電話番号が登録され、接続条件４０２５として“ダイヤルアップ接続”が登録され、ＩＰアドレス取得方法４０２６として“非固定”が登録され、接続方法４０２７として“サーバから”が登録される。
【００２５】
カメラ装置４ｃの撮影条件テーブル４０２には、接続方法４０２３として“ＬＡＮ接続”が登録され、接続情報４０２４，接続条件４０２５およびＩＰアドレス取得方法４０２６は空欄とされ、接続方法４０２７として“カメラから”が登録される。ＬＡＮ接続の場合、接続情報，接続条件およびＩＰアドレス取得方法はルータ１１が把握すれば十分であるため、撮影条件テーブル４０２の同じ欄は空欄とされる。
【００２６】
なお、撮像条件テーブル４０２にアラーム通知要が設定されている場合、ＣＰＵ４０３は、設定された条件に基づいてアラーム通知を画像蓄積サーバ１ａに送信する。たとえば、ルーム内監視中に侵入者を動き検出機能によって検知すると、検知情報を画像蓄積サーバ１ａに送信する。検知用のプログラムは、画像蓄積サーバ１ａからダウンロードするようにしてもよい。また、ＣＰＵ４０３は、画像蓄積サーバ１ａへの接続形態に応じたプロトコルをサポートする。すなわち、公衆回線やＩＳＤＮ回線を経由してダイヤルアップ接続を行う場合には、ＰＰＰプロトコルをサポートし、ＰＨＳ（Personal Handy phone System）のＰＩＡＦＳ（PHS Internet Access Forum Standard）を使う場合には、ＰＩＡＦＳＩ／Ｆとそのドライバをサポートし、また、構内ＬＡＮ（Local Area Network）に接続する場合は、Ｅｔｈｅｒｎｅｔ（イーサネット：登録商標）Ｉ／Ｆとそのドライバをサポートする。ＣＰＵ４０３はさらに、上述したＴＣＰ／ＩＰ（Transmission Control Protocol / Internet Protocol）、ＩＰ、ＦＴＰ（File Transfer Protocol）やＲＳ−２３２ＣＩ／Ｆをサポートしている。
【００２７】
また、監視する建物に設置された各種センサ（温度、湿度、ガス漏れ、扉／窓の開閉など）の検知情報を入力するインタフェースをカメラ装置４ａ，４ｂまたは４ｃに設け、収集した検知情報を画像蓄積サーバ１ａに送信するようにしてもよい。画像蓄積サーバ１ａは、送信された検知情報が登録されている規定値を超えていたり大きな変化を示しているとき、ユーザデータテーブル１０２の設定に従って、ユーザの持つコンビュータ１２や携帯電話５ｂにメッセージを通知する。具体的には、指定されたメールアドレスヘの文字メッセージの送付、指定された電話番号（固定電話、携帯電話を含む）のダイヤルと音声メッセージの通知、ユーザが契約している警備会社への通知などを行う。これらのどの方法を選択するかは、ユーザデータテーブル１０２に登録しておけばよい。
【００２８】
画像蓄積サーバ１ａのＣＰＵ１０３は、具体的には図６〜図９に示すフロー図を処理する。まず図６を参照して、ＣＰＵ１０３は、ステップＳ１０１でカメラ情報テーブル１０２４（図４）からカメラ装置１ａ，１ｂまたは１ｃのＩＰアドレス取得方法１０２７を検出し、ステップＳ１０２で全てのＩＰアドレス取得方法１０２７が“固定”であるかどうか判断する。そして、全て“固定”であればそのままステップＳ１０４に進むが、１つでも“非固定”があればステップＳ１０３でＩＰアドレス受信プロセスを起動してからステップＳ１０４に進む。
【００２９】
ステップＳ１０４ではカメラ情報テーブルポインタを初期化し、ステップＳ１０５ではカメラ情報テーブルポインタが指向するカメラ装置の接続方法１０２９を判別する。接続方法１０２９が“サーバから”であればステップＳ１０６に進み、当該カメラ装置を指定してサーバ接続プロセスを起動する。一方、接続方法１０２９が“カメラから”であれば、そのままステップＳ１０７に進む。ステップＳ１０７ではカメラ情報テーブルポインタを更新し、ステップＳ１０８では当該ポインタの指向先にカメラ装置が登録されているかどうか判別する。そして、ＹＥＳであればステップＳ１０５〜Ｓ１０７の処理を繰り返すが、ＮＯであればステップＳ１０９に進む。したがって、接続方法１０２９が“サーバから”であるカメラ装置が複数ある場合、カメラ装置毎にサーバ接続プロセスが起動する。
【００３０】
ステップＳ１０９では、カメラ装置１ａ，１ｂまたは１ｃからの接続要求の有無を判断する。接続要求には要求元のカメラＩＤが含まれているため、ステップＳ１１０では、当該カメラＩＤに基づいてカメラ情報テーブル１０２４から要求元のカメラ装置のＩＰアドレス１０２６を検出し、検出したＩＰアドレスに対してレスポンスを送信する。ステップＳ１１１では画像データの受信の有無を判別し、ＹＥＳであれば、続くステップＳ１１２で受信した画像データからカメラＩＤを検出する。ステップＳ１１３では、接続要求から検出したカメラＩＤと画像データから検出したカメラＩＤとが互いに一致するかどうか判断し、両ＩＤが一致すれば、ステップＳ１１４で当該画像データを画像メモリ１０１に保存してステップＳ１０９に戻る。一方、両ＩＤが一致しなければ、ステップＳ１１５で当該画像データを廃棄しかつエラーログを記録してからステップＳ１０９に戻る。
【００３１】
ステップＳ１０３で起動されるＩＰアドレス受信プロセスは、図８に示すフロー図に従って実行される。まずステップＳ１２１でカメラ装置１ａ，１ｂまたは１ｃからＩＰアドレスおよびカメラＩＤを受信したかどうかを判断する。ここでＹＥＳであればステップＳ１２２に進み、受信したカメラＩＤに対応するＩＰアドレス取得方法１０２７を図４に示すカメラ情報テーブル１０２４から検出する。ステップＳ１２３では、検出されたＩＰアドレス取得方法１０２７が“非固定”であるかどうか判断する。“非固定”と判断されるとステップＳ１２４に進み、受信したカメラＩＤに対応するＩＰアドレス１０２６を受信したＩＰアドレスによって更新する。一方、ステップＳ１２３で“非固定”以外（つまり“固定”）と判断されるとステップＳ１２５に進み、受信したＩＰアドレスおよびカメラＩＤの廃棄とエラーログの記録とを行う。ステップＳ１２４またはＳ１２５の処理を終えると、ステップＳ１２１に戻る。
【００３２】
ステップＳ１０６で起動されるサーバ接続プロセスは、ステップＳ９に示すフロー図に従って実行される。まずステップＳ１３１で、指定されたカメラ装置のＩＰアドレス１０２６をカメラ情報テーブル１０２４から検出する。次に、ステップＳ１３２で当該ＩＰアドレス１０２６に対して接続要求を送信し、ステップＳ１３３でレスポンスの受信の有無を判断する。レスポンスを受信すると、ステップＳ１３４で同じＩＰアドレス１０２６に対して画像転送要求を送信し、ステップＳ１３５で画像データの受信の有無を判断する。画像データを受信すると、ステップＳ１３６で当該画像データを画像メモリ１０１に保存する。ステップＳ１３７では指定されたフレーム期間待機し、その後ステップＳ１３１に戻る。
【００３３】
カメラ装置４ａ，４ｂまたは４ｃのＣＰＵ４０３は、具体的には図１０〜図１２に示すフロー図を処理する。まず図１０のステップＳ２０１で、撮影条件テーブル４０２を参照して自分の接続方法４０２３を判別する。接続方法４０２３が“ＰＰＰ接続”のときは、ステップＳ２０２でＰＰＰ接続を実行し、ステップＳ２０３でＩＰアドレスを取得する。続くステップＳ２０４では撮影条件テーブル４０２を参照して自分のＩＰアドレス取得方法４０２６を判別する。ＩＰアドレス取得方法４０２６が“非固定”のときはステップＳ２０５に進み、ステップＳ２０３で取得したＩＰアドレスと自分のカメラＩＤとを画像蓄積サーバ１ａ（ＩＰアドレス４０２２によって特定）に送信する。一方、ＩＰアドレス取得方法が“固定”のときは、そのままステップＳ２０６に進む。
【００３４】
ステップＳ２０６では撮影条件テーブル４０２を参照して接続方向４０２７を判別する。そして、接続方向４０２７が“カメラから”であれば図１１に示す処理に進み、接続方向４０２７が“サーバから”であれば図１２に示す処理に進む。
【００３５】
図１１に示すステップＳ２０７では、被写体を撮影して画像データを内部メモリ４０５に格納する。続いて、ステップＳ２０８で自分のカメラＩＤを含む接続要求を画像得席サーバ１ａに送信し、ステップＳ２０９で画像蓄積サーバ１ａからのレスポンスの有無を判別す。レスポンスを受信したときはステップＳ２１０に進み、内部メモリ４０５に格納された画像データを自分のカメラＩＤとともに画像蓄積サーバ１ａに送信する。画像データの送信が完了すると、ステップＳ２１１で指定されたフレーム期間待機した後にステップＳ２０７に戻る。
【００３６】
図１２に示すステップＳ２１２では、画像蓄積サーバ１ａから接続要求を受信したかどうかを判別する。ここでＹＥＳであれば、ステップＳ２１３で接続要求の送信元にレスポンスを送信し、ステップＳ２１４で画像転送要求の受信の有無を判別する。画像転送要求を受信すると、ステップＳ２１５で被写体の撮影および撮影画像データの内部メモリ４０５への格納を行う。さらに、ステップＳ２１６で内部メモリに格納された画像データを画像転送要求の送信元に送信する。ステップＳ２１６の処理が完了すると、ステップＳ２１２に戻る。
【００３７】
以上の説明から分かるように、カメラ装置４ａ〜４ｃならびに画像蓄積サーバ１ａ〜１ｃは、インターネット網３に接続される。ＩＰアドレス取得方法が“非固定”のカメラ装置４ｂは、インターネット網３に接続する毎にＩＳＰ８ａからＩＰアドレスを取得し、取得したＩＰアドレスを画像蓄積サーバ１ａに通知する。画像蓄積サーバ１ａは、カメラ装置１ｂから通知されたＩＰアドレスをユーザデータテーブル１０２に記憶するとともに、当該ＩＰアドレスに基づいてカメラ装置１ｂに画像転送要求を出力する。カメラ装置１ｂは、画像蓄積サーバ１ａから画像転送要求を受信したとき画像データを返送し、画像蓄積サーバ１ａは、返送された画像データを画像メモリ１０１に記憶する。
【００３８】
このように、画像蓄積サーバ１ａは、カメラ装置１ｂがインターネット網３に接続する毎にカメラ装置１ｂのＩＰアドレスを取得する。したがって、カメラ装置１ｂのＩＰアドレスが頻繁に変更されるときでも、画像蓄積サーバ１ａからカメラ装置４ｂにアクセスすることができ、これによって画像蓄積サーバ１ａの負荷変動を抑制することができる。
【図面の簡単な説明】
【００３９】
【図１】この発明の遠隔監視システムのシステム構成を示す図解図である。
【図２】画像蓄積サーバの構成を示すブロック図である。
【図３】撮像装置の構成を示すブロック図である。
【図４】ユーザデータテーブルを示す図解図である。
【図５】撮影条件テーブルを示す図解図である。
【図６】サーバの動作の一部を示すフロー図である。
【図７】サーバの動作の他の一部を示すフロー図である。
【図８】サーバの動作のその他の一部を示すフロー図である。
【図９】サーバの動作のさらにその他の一部を示すフロー図である。
【図１０】カメラ装置の動作の一部を示すフロー図である。
【図１１】カメラ装置の動作の他の一部を示すフロー図である。
【図１２】カメラ装置の動作のその他の一部を示すフロー図である。
【符号の説明】
【００４０】
１ａ，１ｂ，１ｃ  …  画像蓄積サーバ
２  …  ルータ
３  …  インターネット網
４ａ，４ｂ，４ｃ  …  カメラ装置
５ａ，５ｂ  …  携帯電話
６ａ，６ｂ  …  移動体通信網
７ａ，７ｂ  …  通信事業者
８ａ，８ｂ  …  プロバィダ
９  …  モデム
１０  …  ＩＳＤＮ回線
１１  …  ルータ
１２  …  コンピュータ
１３  …  ＬＡＮ専用線
【図１】
0004540649.tif 000002
【図２】
0004540649.tif 000003
【図３】
0004540649.tif 000004
【図４】
0004540649.tif 000005
【図５】
0004540649.tif 000006
【図６】
0004540649.tif 000007
【図７】
0004540649.tif 000008
【図８】
0004540649.tif 000009
【図９】
0004540649.tif 000010
【図１０】
0004540649.tif 000011
【図１１】
0004540649.tif 000012
【図１２】
0004540649.tif 000013